(57)【特許請求の範囲】
【請求項１】
複数の竿体を振出形式で連結してなる中通し竿であって、
リールからの釣糸を内部に導入するための釣糸導入口を有する元竿と、
前記元竿の穂先側に振出形式に連結される元上竿と、
前記元上竿の竿元側端部に脱着自在に装着される底栓とを備え、
前記底栓は、軸方向に貫通する略筒状の本体部と、前記本体部の竿元側外周に配置された竿元側に突出する弾性部とを有し、
前記元竿の竿元側端部に脱着自在に装着される尻栓をさらに備え、
前記尻栓は、前記底栓の前記弾性部内に挿入可能で前記底栓の前記本体部の竿元側端面に当接する小径の受け部を穂先側端部に有している、中通し竿。
【請求項２】
前記元上竿の竿元側内周面には雌ねじ部分が形成されており、
前記底栓の本体部の穂先側外周面には雄ねじ部分が形成されている、請求項１に記載の中通し竿。
【請求項３】
前記底栓の弾性部の竿元側端部内周面は、竿元側ほど大径化するようにテーパが形成されている、請求項１または２に記載の中通し竿。
【発明の詳細な説明】
【０００１】
【発明の属する技術分野】
本発明は、中通し竿、特に振出形式で連結され内部に釣糸を挿通可能な中通し竿に関する。
【０００２】
【従来の技術】
従来の振出式の中通し竿は、内部に釣糸通路を有する穂先竿・中竿等及び元上竿と、これらの竿体の竿元側に連結され各竿体を順次内部に収納可能な元竿とを備えている。元竿は、外周面に設けられリールを取り付け可能なリールシートと、リールシートの穂先側に設けられた釣糸導入口とを有している。そして、竿尻側端部には栓状の尻栓がはめ込まれている。また、穂先竿の穂先側先端にはトップガイドが設けられている。
【０００３】
この中通し竿では、使用時には各竿体を順次穂先側へ引き出して固定して１本の釣竿として使用する。そして、元竿の外周面に設けられたリールからの釣糸は、釣糸導入口から竿体内の釣糸通路に導入されて穂先側へ導かれ、穂先竿の穂先側先端に設けられたトップガイドから外部に導かれることになる。ここで、各竿体に釣糸を挿通する際には、ワイヤ状の糸通し具を用いて釣糸挿通操作を行うことになる。具体的には、中通し竿の穂先側の竿体を順次元上竿内に収納して、元竿の穂先側に元上竿が突出して連結されている状態とする。この状態で、元竿の釣糸導入口から、釣糸係止部に釣糸を係止した糸通し具を挿入し、順次穂先側へ導き釣糸を穂先側から引き出すことになる。
【０００４】
また、竿収納時には、各竿体を順次竿元側の竿体内に収納してコンパクトな状態にする。ここで、釣糸を釣糸通路に通したままで収納する場合、各竿体を元竿の竿元側端部まで挿入して収納すると、釣糸導入口から導入された釣糸は、元竿の竿元側端部にまで挿入された元上竿の竿元側端部まで一旦導かれ、そこで折り返されて元上竿等の各竿体内を穂先側へ導かれることになる（図４参照）。
【０００５】
【発明が解決しようとする課題】
このような従来の中通し竿においては、まず第１に、糸通し具を用いた釣糸導入操作において、糸通し具の頭端を元上竿内に上手く導入しがたいという問題がある。即ち、釣糸挿通操作時に元竿の釣糸導入口と元上竿の竿元側端部とに一定の距離があると、糸通し具の先端は元竿内周面に沿って穂先側に移動しつつ元上竿内に挿入されることになるが、この際、元上竿の竿元側端部に引っかかって上手く糸通しの先端が元上竿内に挿入されずまたは元上竿の竿元側端部を傷付ける恐れがある。第２に、釣糸を釣糸通路に通したまま収納した場合、元上竿の竿元側端面と元竿の尻栓との間に釣糸を踏み込んで釣糸と竿体とが互いに傷付け合う、いわゆる「糸踏み」と呼ばれる現象が生じる恐れがある。
【０００６】
本発明の課題は、釣糸挿通操作が容易であると共に「糸踏み」による竿体及び釣糸の破損も防止可能な中通し竿を提供することにある。
【０００８】
【課題を解決するための手段】
発明１に係る中通し竿は、複数の竿体を振出形式で連結してなる中通し竿であって、リールからの釣糸を内部に導入するための釣糸導入口を有する元竿と、元竿の穂先側に振出形式に連結される元上竿と、元上竿の竿元側端部に脱着自在に装着される底栓とを備え、底栓は、軸方向に貫通する略筒状の本体部と、本体部の竿元側外周に配置された竿元側に突出する弾性部とを有し、元竿の竿元側端部に脱着自在に装着される尻栓をさらに備え、尻栓は前記底栓の弾性部内に挿入可能で底栓の本体部の竿元側端面に当接する小径の受け部を穂先側端部に有している。
この中通し竿で釣糸を釣糸通路に通したまま収納した場合、元竿の尻栓の受け部が元上竿の本体部と当接してこれを受け止め、底栓の弾性部が尻栓に接触して圧を受け変形するのを抑えている。また、受け部は弾性部からなり、底栓の本体部と尻栓の受け部との間に釣糸を踏み込んで釣糸を傷付けるのも防止している。
【０００９】
発明２に係る中通し竿は、発明１の中通し竿であって、元上竿の竿元側内周面には雌ねじ部分が形成されており、底栓の本体部の穂先側外周面には雄ねじ部分が形成されている。
【００１０】
この中通し竿では、底栓の雄ねじ部分を元上竿の雌ねじ部分に螺合させることによって底栓が脱着自在である。
発明３に係る中通し竿は、発明１または２の中通し竿であって、底栓の弾性部の竿元側端部内周面は、竿元側ほど大径化するようにテーパが形成されている。
【００１１】
この中通し竿では、釣糸挿通操作時に釣糸導入口から挿入され元竿内周面に沿って穂先側に送られてきた糸通し具の先端が、弾性部の竿元側端部内周面のテーパに沿って円滑に元上竿内に導かれる。
【００１４】
【発明の実施の形態】
以下、本発明の一実施形態について、図面を参照しつつ説明する。
図１に示すように、本発明の一実施形態を採用した中通し竿は、元竿１と元竿１の穂先側に順次振出形式で連結される元上竿２，中竿３，穂先竿４とを有している。各竿体は繊維強化樹脂から構成される先細り筒状部材であり、内部に釣糸を挿通するために釣糸通路を有している。
【００１５】
元竿１は、外周面に形成されたリールを取り付け可能なリールシート５と、リールシート５の穂先側の外周面に形成された釣糸導入口６と、釣糸導入口６付近に配置されリールからの釣糸を釣糸挿入口６へ導くための釣糸導入ガイド７と、竿元側端部に脱着自在に装着される尻栓９とを有している。詳しくは、図４に示すように、元竿１の竿元側端部の内周面には雌ねじ部が形成されており、ここに尻栓９が螺合している。
【００１６】
図２または図４に示すように、尻栓９は元竿１の竿元側端部を塞ぐ栓状部材であり、円柱状の頭部１０と、頭部１０の穂先側に頭部１０より小径で元竿１の雌ねじ部に螺合可能な雄ねじ部１１と、雄ねじ部１１の穂先側に配置される弾性部１２とを有している。頭部１０は外部より釣人が摘んで回動させる部分であって、周面に滑止溝を設けてもよい。雄ねじ部１１は頭部１０と一体的に形成可能であり外周面にねじ山が形成される。一方、弾性部１２はウレタンゴム等の合成ゴムや天然ゴム，その他スポンジ部材から形成され、その穂先側端部は小径化された受け部１２ａとなっている。この受け部１２ａは後述のように底栓２０の本体部２１に当接する外径に設定されている。
【００１７】
図２〜図４に示すように、元上竿２は、元竿１の穂先側に振出形式で連結される先細り筒状部材であって竿元側端部内周面に雌ねじ部分を有し、ここに底栓２０が脱着自在に装着されている。
【００１８】
底栓２０は、軸方向に貫通する貫通部分を有する略筒状の本体部２１と、本体部２１の穂先側に本体部２１よりやや小径かつ一体的に形成され元上竿２に螺合する雄ねじ部２２と、本体部２１の竿元側外周に配置された竿元側に突出する弾性部２３とを有している。
【００１９】
本体部２１は合成樹脂から形成され、その貫通部分は竿元側ほど大径化するようなテーパが形成されている。貫通部分は穂先側において最も小径化しており、この部分にセラミックス等からなる硬質のリング部材２４が配置されている。また、本体部２１の竿元側の外周面は周方向全体にわたって切り欠かれており、この切り欠かれた部分に弾性部２３が接着剤等で固定され配置されている。
【００２０】
この本体部２１の穂先側に連続する雄ねじ部２２においては、その内径が再び大径化しており、この部分に中竿３，穂先竿４の竿元側端部が順次収納可能となっている（図２参照）。そしてその外周面にはねじ山が形成されている。
【００２１】
弾性部２３は、天然ゴム，スチレンゴム，ブタジエンゴム，ウレタンゴム，コルクからなる略円筒型部材であり、本体部２１の竿元側外周の切り欠かれた部分にはめ込まれると共にさらに竿元側に一部が突出するように配置され、その外周面は本体部２１と面一になっている。弾性部２３の竿元側の内周面は竿元側ほど大径化するようにテーパが設けられており、竿元側端部において最大外径を有するようになっている。特に、この竿元側に突出する弾性部２３の竿元側端部外径は、それが位置する元竿１内径にほぼ合致するように形成されるのが好ましい。
【００２２】
このように構成された中通し竿では、以下のように、糸通し具１００を用いて釣糸挿通操作を行う。まず、糸通し具１００の後端にリールからの釣糸を引っかけておく。そして、図２に示すように、穂先竿４，中竿３を順次元上竿２内に収納して元上竿２を元竿１の穂先側に引き出した状態で、釣糸導入口６から糸通し具１００を頭部側から挿入する。挿入された糸通し具１００は元竿１内周面に沿って穂先側に移動する。そして、糸通し具１００の先端が元上竿２の後端にある底栓２０の竿元側に突出する弾性部２３に当たると、この弾性部２３が糸通し具１００を元上竿２内から穂先竿４内へ円滑に案内する（図３参照）。特に、弾性部２３の内周面は竿元側ほど大径化するテーパが設けられており、糸通し具１００の移動は円滑である。
【００２３】
また、このように構成された中通し竿の収納時には、穂先竿４から順次元上竿２を元竿１内に釣糸Ｌを竿体内に挿通させたまま収納する。図４に示すように、このように収納した場合には、尻栓１０の弾性部１２の穂先側に位置する小径の受け部１２ａが底栓２０の弾性部２３内に挿入され本体部２１の竿元側端部に当接してこれを受ける。このため、底栓２０の弾性部２３が元上竿２等の重さを直接受けて変形することなく、また、釣糸Ｌは弾性部１２，弾性部２３の存在する場所で挟まれることになるので、釣糸Ｌを竿体が直接踏み込んで互いに傷付けあう「糸踏み」現象を回避できる。
【００２４】
［他の実施形態］
（ａ）底栓２０の弾性部２３の形状乃至内周のテーパ程度は任意に設定可能である。たとえは、図５に示すように、糸通し具１００の先端部分の径との調和を図り、さらに円滑な糸通し具１００の移動を図ることも可能である。
【００２５】
【発明の効果】
本発明に係る中通し竿によれば、釣糸挿通操作が円滑に行うことができる。また、いわゆる「糸踏み」現象も防止可能である。
【図面の簡単な説明】
【図１】本発明の一実施形態を採用した中通し竿の全体図。
【図２】図１の中通し竿において釣糸挿通操作を行う状態を示す図。
【図３】図２の底栓２０付近の拡大図。
【図４】収納時の底栓２０付近の拡大図。
【図５】他の実施形態を採用した弾性部２３付近の参考図。
【符号の説明】
１  元竿
２  元上竿
１０  尻栓
１２ａ  受け部
２０  底栓
２１  本体部
２３  弾性部
１００  糸通し具
【図１】
0004623533.tif 000002
【図２】
0004623533.tif 000003
【図３】
0004623533.tif 000004
【図４】
0004623533.tif 000005
【図５】
0004623533.tif 000006